(57)【要約】      （修正有）【課題】単車用ヘルメットに装着して走行時にヘルメット内の蒸れを軽減するための装置を提供する。【解決手段】ヘルメット内壁部に内部が中空で細い合成樹脂製の複数の組み合わせた管を設置し、細い管を左右のヘルメット外部に装着した空気吸い出しの為の合成樹脂基盤に接着し、走行時に空気の流れによる吸い出し効果を応用してヘルメット内部の蒸れた空気を吸い出す。【選択図】図１
0003167586.tif 000002
【実用新案登録請求の範囲】
【請求項１】
走行時において、単車用ヘルメット内の蒸れた空気をヘルメット外部の気流の吸い出し効果により吸い出し、ヘルメット内の蒸れを軽減するための単車用ヘルメット内空気排出装置。
【考案の詳細な説明】
【技術分野】
【０００１】
本考案は、単車用ヘルメットに装着して走行時にヘルメット内の蒸れを軽減するための装置に関するものである。
【背景技術】
【０００２】
ヘルメットは、頭部を保護するため各所において各種のヘルメットが使用されている。
【先行技術文献】
【特許文献】
【０００３】
【特許文献１】特開２００５−２７３１２４
【考案の概要】
【考案が解決しようとする課題】
【０００４】
しかし、ヘルメットは頭部を保護するために頑丈に作られており、ヘルメット内部の蒸れが問題点として上がっている。工事現場用では超小型の電導ファンにより強制的に空気を入れ換えている。また、自転車用ヘルメットではヘルメットにスリットが入って頭部全体を覆わない構造になっている。しかし、単車用ヘルメットでは転倒時等の事故から頭部を保護するため、蒸れ防止策としてヘルメット前部に小さな穴を開けているに過ぎないので、特に夏場はヘルメット内部が蒸れた状態になる。
【課題を解決するための手段】
【０００５】
本考案は、ヘルメット内壁部に空気を吸い出す複数の内部が中空の細い管を左右から設置し、細い管は左右のヘルメット下で一列にまとめて外部に取り出し、左右のヘルメット外部に装着する合成樹脂板に接着して走行時の空気の流れによりヘルメット内部の蒸れた空気を吸い出すものである。
【考案の効果】
【０００６】
従来の前部に開けた小さな穴からの空気取り入れと違い、走行時にヘルメット内部の蒸れた空気をヘルメット外の空気の流れによる吸い出し効果で強制的に吸い出すため、雨天時の走行にも雨がしみこむことなくヘルメット内部の蒸れを軽減することが出来る。    
【図面の簡単な説明】
【０００７】
【図１】本考案における空気吸い出し装置である。
【図２】本考案におけるヘルメット外部の合成樹脂板である。
【考案を実施するための形態】
【０００８】
ヘルメット１内壁部の左右からヘルメット１内上部に、複数の細い合成樹脂製の管２を離して設置し、ヘルメット内部の空気を左右のヘルメット外部に導くようにする。細い管の内部は中空でヘルメット内部の先端周辺には小さな複数の穴を開ける。細い管は頭部とヘルメットの間でもつぶれないが、違和感のない太さとし管の長さは設置する部分により変えるものとする。複数の合成樹脂製の細い管２の間は間隔がずれないように弾力と幅のある薄い合成樹脂製の幕３でつなぎ、空気と湿気を通す布で頭部に直接触れないようにヘルメット内壁部に取り付ける。   
【０００９】
複数の合成樹脂製の細い管は左右のヘルメット１下部から接着して一列にまとめて外部に導き、左右のヘルメット１外部に装着する空気吸い出しの為に合成樹脂基盤４まで延ばす。
【００１０】
一列にまとめ延ばしてきた複数の合成樹脂製の細い管２の先端を左右の空気吸い出しの為の合成樹脂基盤４に接着する。
先端は空気を吸い出すための小さな穴があいている。    
【００１１】
走行時に左右のヘルメット外部に装着された空気吸い出しの為の合成樹脂基盤４に接着された合成樹脂製の細い管２の先端の小さな穴から、走行による空気の吸い出し効果で細い合成樹脂製の管２を通してヘルメット１内部の蒸れた空気を左右のヘルメット１外部に放散する。
【符号の説明】
【００１２】
１  ヘルメット
２  細い合成樹脂製の管
３  合成樹脂製の幕
４  空気吸い出しの為の合成樹脂基盤
【図１】
0003167586.tif 000003
【図２】
0003167586.tif 000004
【手続補正書】
【提出日】平成22年12月8日(2010.12.8)
【手続補正１】
【補正対象書類名】実用新案登録請求の範囲
【補正対象項目名】全文
【補正方法】変更
【補正の内容】
【実用新案登録請求の範囲】
【請求項１】
走行時において、ヘルメット外部の気流の吸い出し効果により単車用ヘルメット内の蒸れた空気をヘルメット外に出すために、ヘルメット内壁面左右からヘルメット下部外縁部を通りヘルメット外部左右にヘルメット面に垂直に接着する角度を付けた空気吸い出し用合成樹脂基盤まで一本で続き、ヘルメット内では空気と湿気を通す布で頭部に直接触れないように覆われ、張り巡らす間隔がずれないように弾力と幅のある薄い合成樹脂製の膜で連結され、ヘルメット内壁と頭部が密着しても中空管部がつぶれず、先端周辺には小さな複数の穴が開き、ヘルメット外部の空気吸い出し用合成基盤では吸い出し効果が出る小さな穴があり、弾力性のある肌に違和感のない長さの異なる複数の細い合成樹脂製中空管がヘルメットに付けられている事を特徴とする単車用ヘルメット内空気排出装置。  
【手続補正２】
【補正対象書類名】明細書
【補正対象項目名】０００５
【補正方法】変更
【補正の内容】
【０００５】
本考案は、ヘルメット内壁部に空気を吸い出す複数の内部が中空の細い管を左右から設置し、細い管は左右のヘルメット下で一列にまとめて外部に取り出し、左右のヘルメット外部に装着する合成樹脂基盤に接着して走行時の空気の流れによりヘルメット内部の蒸れた空気を吸い出すものである。
【手続補正３】
【補正対象書類名】明細書
【補正対象項目名】０００７
【補正方法】変更
【補正の内容】
【０００７】
【図１】本考案における空気吸い出し装置である。
【図２】本考案におけるヘルメット外部の合成樹脂基盤である。
【手続補正４】
【補正対象書類名】明細書
【補正対象項目名】０００８
【補正方法】変更
【補正の内容】
【０００８】
ヘルメット１内壁部の左右からヘルメット１内上部に、複数の細い合成樹脂製の管２を離して設置し、ヘルメット内部の空気を左右のヘルメット外部に導くようにする。細い管の内部は中空でヘルメット内部の先端周辺には小さな複数の穴を開ける。細い管は頭部とヘルメットの間でもつぶれないが、違和感のない太さとし管の長さは設置する部分により変えるものとする。複数の合成樹脂製の細い管２の間は間隔がずれないように弾力と幅のある薄い合成樹脂製の膜３でつなぎ、空気と湿気を通す布で頭部に直接触れないようにヘルメット内壁部に取り付ける。
【手続補正５】
【補正対象書類名】明細書
【補正対象項目名】００１２
【補正方法】変更
【補正の内容】
【００１２】
１  ヘルメット
２  細い合成樹脂製の管
３  合成樹脂製の膜
４  空気吸い出しの為の合成樹脂基盤
【手続補正書】
【提出日】平成23年3月2日(2011.3.2)
【手続補正１】
【補正対象書類名】実用新案登録請求の範囲
【補正対象項目名】全文
【補正方法】変更
【補正の内容】
【実用新案登録請求の範囲】
【請求項１】
ヘルメット内では左右互いに１本づつばらばらに吸い込み範囲が重ならないようにバランスよく配置され、空気と湿気を通す布で頭部に直接触れないように覆われ、間隔がずれないように弾力と幅のある薄い合成樹脂製の膜で連結され、ヘルメット内壁と頭部が密着しても中空管部がつぶれない、弾力性のある肌に違和感のない複数の細い合成樹脂製の中空管、この中空管がヘルメット外表面の空気吸出用合成樹脂基盤まで１本づつ連続してもうけられ、空気吸出用合成樹脂基盤は、ヘルメット外表面に底辺を接した、底辺の長い幅のある直角三角柱形で、ヘルメット前方部から後方部にかけて斜辺は放物線に似て、斜辺後半は急角度に変化、残りの辺ではほぼ垂直になりヘルメット外表面を平行に流れる早い気流に、ヘルメット下部から延びて基盤の斜辺上に横一列に並んだ細い中空管がほぼ垂直となるように角度をつくる役割を持つが、ヘルメット内部の蒸れた空気を霧吹きの水のように吸い出しヘルメット外に放散するために、ヘルメット外気流がヘルメット外表面に平行に流れるヘルメット前部の、しかし、冬季の防寒着や雨滴に影響されないヘルメット外表面の左右部分に各１個接着するものであり、この空気吸出用合成樹脂基盤まで延びた中空管は、雨滴の流れ込みを防ぐためヘルメット左右下部まで横一列でまとめてヘルメット内部に入り、ヘルメット内の空気吸込部分にはヘルメット内の蒸れた空気をもれなく効率よく吸い込むために管の中空部以外に小さな複数の穴が管表面から中空部まで開いているものであることを特徴とする単車用ヘルメット内空気排出装置。
【手続補正２】
【補正対象書類名】明細書
【補正対象項目名】０００７
【補正方法】変更
【補正の内容】
【０００７】
【図１】本考案におけるヘルメット内部右側の空気吸い出し装置である。
【図２】本考案におけるヘルメット外部右側の空気吸い出し装置である。
【図３】本考案におけるヘルメット外部の空気吸い出しの為の合成樹脂基盤である。
【手続補正３】
【補正対象書類名】明細書
【補正対象項目名】０００８
【補正方法】変更
【補正の内容】
【０００８】
【図１】で示すように、ヘルメット１内壁部の左右からヘルメット１内部に、複数の細い合成樹脂製の管２を左右互いにバランスよく離して設置し、ヘルメット１内部の空気を左右のヘルメット１外部に導くようにする。複数の細い合成樹脂製の管２の内部は中空でヘルメット１内部の空気吸込部分５には中空部まで達する小さな複数の穴を開ける。複数の細い合成樹脂製の管２は頭部とヘルメット１の間でもつぶれないが、違和感のない太さとし管の長さは設置する部分により左右互いにバランスよく変えるものとする。複数の細い合成樹脂製の管２の間は間隔がずれないように弾力と幅のある薄い合成樹脂製の膜３でつなぎ、空気と湿気を通す布で頭部に直接触れないようにヘルメット１内壁部に取り付ける。ヘルメット１内部に配置された複数の細い合成樹脂製の管２は蒸れた空気を外部に放散するためヘルメット１下部まで引いてきて一列にまとめる。
【手続補正４】
【補正対象書類名】明細書
【補正対象項目名】０００９
【補正方法】変更
【補正の内容】
【０００９】
【図１】および
【図２】で示すように、複数の細い合成樹脂製の管２は雨滴の流れ込みを防ぐため、左右のヘルメット１下部から接着して一列にまとめて外部に導き、左右のヘルメット１外部に装着する空気吸い出しの為の合成樹脂基盤４まで延ばす。
【手続補正５】
【補正対象書類名】明細書
【補正対象項目名】００１０
【補正方法】変更
【補正の内容】
【００１０】
一列にまとめ延ばしてきた複数の細い合成樹脂製の管２の空気排出口６を左右の空気吸い出しの為の合成樹脂基盤４に接着する。
空気排出口６は空気を吸い出させるため、小さな穴があいている。
【図３】で示すように空気吸い出しの為の合成樹脂基盤４はヘルメット１外表面に底辺を接した、底辺の長い幅のある直角三角柱形で、ヘルメット１前方部から後方部にかけて斜辺は放物線に似て、斜辺後半は急角度に変化、残りの辺ではほぼ垂直になりヘルメット１外表面を平行に流れる早い気流に、ヘルメット１下部から延びて基盤の斜辺上に横一列に並んだ細い合成樹脂製の管２の空気排出口６がほぼ垂直となるように角度をつくる役割を持つが、ヘルメット１内部の空気吸込部分５から吸い込んだ蒸れた空気を細い合成樹脂製の管２の小さな穴の空気排出口６から霧吹きの水のように吸い出しヘルメット１外に放散するために、ヘルメット１外気流がヘルメット１外表面に平行に流れるヘルメット１前部の、しかし、冬季の防寒着や雨滴に影響されないヘルメット１外表面の左右部分に各１個接着する。
【手続補正６】
【補正対象書類名】明細書
【補正対象項目名】００１１
【補正方法】変更
【補正の内容】
【００１１】
走行時に左右のヘルメット１外部に装着された空気吸い出しの為の合成樹脂基盤４に接着された細い合成樹脂製の管２の排出口６の小さな穴から、走行による空気の吸い出し効果で細い合成樹脂製の管２を通してヘルメット１内部の蒸れた空気を左右のヘルメット１外部に放散する。
【手続補正７】
【補正対象書類名】明細書
【補正対象項目名】００１２
【補正方法】変更
【補正の内容】
【００１２】
１  ヘルメット
２  細い合成樹脂製の管
３  合成樹脂製の膜
４  空気吸い出しの為の合成樹脂基盤
５  空気吸込部分
６  空気排出口
【手続補正８】
【補正対象書類名】図面
【補正対象項目名】全図
【補正方法】変更
【補正の内容】
【図１】
0003167586.tif 000005
【図２】
0003167586.tif 000006
【図３】
0003167586.tif 000007